(57)【要約】【課題】ポンプの脈動を抑制することができるポンプ脈動抑制装置を提供する。【解決手段】ポンプで汲み上げられた液体が流れる、周方向にスリットが設けられた主配管と、前記主配管から少なくとも上方に延びるように接続され、前記スリットからの液体が流れ込むバッファ部と、を備えるポンプ脈動抑制装置が提供される。【選択図】図１Ａ
2019157753.tif 000002
【特許請求の範囲】
【請求項１】
ポンプで汲み上げられた液体が流れる、周方向にスリットが設けられた主配管と、
前記主配管から少なくとも上方に延びるように接続され、前記スリットからの液体が流れ込むバッファ部と、を備えるポンプ脈動抑制装置。
【請求項２】
前記主配管は、前記ポンプに近い側の端部にフランジを有し、
前記スリットは、前記フランジの近傍に設けられ、
前記バッファ部は、その一部が前記フランジと固定された分岐管である、請求項１に記載のポンプ脈動抑制装置。
【請求項３】
前記スリットの幅が可変である、請求項１または２に記載のポンプ脈動抑制装置。
【請求項４】
前記バッファ部内には、前記バッファ部における下流側側面と上流側側面との間に固定されたリブが設けられる、請求項１乃至３のいずれかに記載のポンプ脈動抑制装置。
【請求項５】
ポンプで汲み上げられた液体が流れる、長手方向にスリットが設けられた主配管と、
前記主配管から少なくとも上方に延びるように接続され、前記スリットからの液体が流れ込むバッファ部と、を備えるポンプ脈動抑制装置。
【請求項６】
前記バッファ部内には、前記主配管内における液体の流れと非平行に延びる仕切板が設けられる、請求項５に記載のポンプ脈動抑制装置。
【請求項７】
前記バッファ部は、前記主配管の下方にも延びる、請求項１乃至６のいずれかに記載のポンプ脈動抑制装置。
【請求項８】
前記バッファ部の幅は、前記スリットの幅より広い、請求項１乃至７のいずれかに記載のポンプ脈動抑制装置。
【請求項９】
前記主配管の直径をＤとすると、前記スリットの幅は０．５Ｄ〜Ｄである、請求項１乃至８のいずれかに記載のポンプ脈動抑制装置。
【請求項１０】
前記ポンプで圧力脈動が発生した場合でも、前記ポンプで汲み上げられた液体の一部が前記主配管から前記バッファ部に流入したり、前記バッファ部から前記主配管に流出したりすることにより、圧力脈動の伝播が抑制される、請求項１乃至９のいずれかに記載のポンプ脈動抑制装置。
【発明の詳細な説明】
【技術分野】
【０００１】
本発明は、ポンプ脈動抑制装置に関する。
【背景技術】
【０００２】
ポンプでは圧力脈動が発生することがあり、配管を介して脈動が上流や下流に伝播すると振動発生などの悪影響がある。そのため、ポンプで圧力脈動が発生した場合でもその伝播を抑制する必要がある。
【０００３】
例えば、特許文献１では、配管の長さを適切に設定することで脈動を抑える技術が開示されている。しかしながら、この手法でも十分に脈動を抑えられるとは限らない。
【先行技術文献】
【特許文献】
【０００４】
【特許文献１】特開昭５９−４９４８０号公報
【発明の概要】
【発明が解決しようとする課題】
【０００５】
本発明はこのような問題点に鑑みてなされたものであり、本発明の課題は、ポンプの脈動を抑制することができるポンプ脈動抑制装置を提供することである。
【課題を解決するための手段】
【０００６】
本発明の一態様によれば、ポンプで汲み上げられた液体が流れる、周方向にスリットが設けられた主配管と、前記主配管から少なくとも上方に延びるように接続され、前記スリットからの液体が流れ込むバッファ部と、を備えるポンプ脈動抑制装置が提供される。
【０００７】
前記主配管は、前記ポンプに近い側の端部にフランジを有し、前記スリットは、前記フランジの近傍に設けられ、前記バッファ部は、その一部が前記フランジと固定された分岐管であるのが望ましい。
【０００８】
前記スリットの幅が可変であるのが望ましい。
【０００９】
前記バッファ部内には、前記バッファ部における下流側側面と上流側側面との間に固定されたリブが設けられるのが望ましい。
【００１０】
本発明の別の態様によれば、ポンプで汲み上げられた液体が流れる、長手方向にスリットが設けられた主配管と、前記主配管から少なくとも上方に延びるように接続され、前記スリットからの液体が流れ込むバッファ部と、を備えるポンプ脈動抑制装置が提供される。
【００１１】
前記バッファ部内には、前記主配管内における液体の流れと非平行に延びる仕切板が設けられるのが望ましい。
【００１２】
前記バッファ部は、前記主配管の下方にも延びるのが望ましい。
【００１３】
前記バッファ部の幅は、前記スリットの幅より広いのが望ましい。
【００１４】
前記主配管の直径をＤとすると、前記スリットの幅は０．５Ｄ〜Ｄであるのが望ましい。
【００１５】
前記ポンプで圧力脈動が発生した場合でも、前記ポンプで汲み上げられた液体の一部が前記主配管から前記バッファ部に流入したり、前記バッファ部から前記主配管に流出したりすることにより、圧力脈動の伝播するのが抑制されるのが望ましい。
【発明の効果】
【００１６】
ポンプの脈動を抑制することができる。
【図面の簡単な説明】
【００１７】
【図１Ａ】第１の実施形態に係るポンプ脈動抑制装置１００の側面図。
【図１Ｂ】第１の実施形態に係るポンプ脈動抑制装置１００の正面図。
【図２Ａ】図１ＡにおけるＣ−Ｃ断面図。
【図２Ｂ】図１ＢにおけるＤ−Ｄ断面図。
【図３Ａ】図２Ａの変形例を示す図。
【図３Ｂ】図２Ａの変形例を示す図。
【図３Ｃ】図３Ａおよび図３Ｂの比較例を示す図。
【図４Ａ】図２Ａの別の変形例を示す図。
【図４Ｂ】図２Ａの別の変形例を示す図。
【図４Ｃ】図４Ａおよび図４Ｂの比較例を示す図。
【図５】図２Ａのまた別の変形例を示す図。
【図６】図２Ａのまた別の変形例を示す図。
【図７Ａ】第２の実施形態に係るポンプ脈動抑制装置１０１の側面図。
【図７Ｂ】図７ＡのＦ−Ｆ断面図。
【図７Ｃ】図７ＡのＥ−Ｅ断面図。
【図８Ａ】主配管１が鉛直方向に延びる場合のポンプ脈動抑制装置の側面図。
【図８Ｂ】図８Ａにおける水平方向断面図。
【図８Ｃ】図８Ａにおける鉛直方向断面図。
【図９Ａ】第３の実施形態に係るポンプ脈動抑制装置１０２の側面図。
【図９Ｂ】第３の実施形態に係るポンプ脈動抑制装置１０２の正面図。
【図１０】図９ＢのＤ−Ｄ断面図。
【図１１】図１０の変形例を示す図。
【図１２】図１０の別の変形例を示す図。
【図１３Ａ】主配管１が鉛直方向に延びる場合のポンプ脈動抑制装置の側面図。
【図１３Ｂ】主配管１が鉛直方向に延びる場合のポンプ脈動抑制装置の断面図。
【図１４Ａ】第４の実施形態に係るポンプ脈動抑制装置１０３の断面図。
【図１４Ｂ】図１４ＡにおけるＧ−Ｇ断面図。
【図１５Ａ】図１４Ａにおいて、スリット１３がない状態を示す図。
【図１５Ｂ】図１４Ａにおいて、スリット１３の幅ｄを大きくした状態を示す図。
【図１６】図１４Ａの変形例を示す図。
【発明を実施するための形態】
【００１８】
以下、本発明に係る実施形態について、図面を参照しながら具体的に説明する。
【００１９】
（第１の実施形態）
図１Ａおよび図１Ｂは、それぞれ、第１の実施形態に係るポンプ脈動抑制装置１００の側面図および正面図である。図１ＡをＡ方向から見たものが図１Ｂであり、図１ＢをＢ方向から見たものが図１Ａである。また、図２Ａは、図１ＡにおけるＣ−Ｃ断面図であり、図２Ｂは、図１ＢにおけるＤ−Ｄ断面図である。
【００２０】
ポンプ脈動抑制装置１００は、主配管１と、バッファ部２とを備えている。
【００２１】
主配管１は、一端１１側が不図示のポンプと直接または間接的に接続されており、ポンプで汲み上げられた液体（例えば、水）が一端１１側から他端１２側に流れる。すなわち、一端１１が上流側であり、他端１２が下流側である。本実施形態の特徴の１つとして、主配管１には、その長手方向（言い換えると、液体が流れる方向）に沿ったスリット１３が設けられている（図２Ａおよび図２Ｂ）。
【００２２】
バッファ部２は、主配管１から上方に延びるように接続され、スリット１３を覆っている（図２Ａ）。より具体的には、バッファ部２は４つの側面２１〜２４を有する。互いに対向する側面２１，２２は、スリット１３と平行かつ鉛直方向に延びており、下端が主配管１のスリット１３のすぐ横に接続されている（図２Ａ）。側面２３は側面２１，２２における主配管１の一端１１側の端面同士を接続する。側面２４は側面２１，２２における主配管１の他端１２側の端面同士を接続する。
【００２３】
これにより、スリット１３を覆う空間Ｓが形成される。よって、スリット１３を介して主配管１の液体の一部がバッファ部２に流れ込むことができる。
【００２４】
このような構成により、主配管１にバネ要素が加わり、周波数の変動を抑える効果が得られる。
【００２５】
なお、図２Ａおよび図２Ｂに示すように、バッファ部２の上部は開放されて大気圧であってよい（サージタンク型）。この場合、ポンプに圧力脈動が発生した場合、主配管１からの液体がバッファ部２に流入したりバッファ部２の水が主配管１に流出したりして、バッファ部２内の液位が変動する。このように、液体の圧力エネルギーを重力下で位置エネルギーに変換してバッファ部２内に蓄えることによって、脈動の伝播が抑制される。
【００２６】
また、図３Ａおよび図３Ｂは変形例であり、それぞれ図２Ａおよび図２Ｂと対応している。図示のように、バッファ部２の上部は閉塞されており、バッファ部２内は閉空間となっていてもよい（エアチャンバ型）。この場合、ポンプに圧力脈動が発生した場合、バッファ部２内の液体位が変動するだけでなく、閉空間内の気体（例えば、空気）が圧縮したり膨張したりする。このように、液体の圧力エネルギーを位置エネルギーおよび気体の圧力エネルギーに変換してバッファ部２内に蓄えることによって、脈動の伝播が抑制される。
【００２７】
なお、図示を省略しているが、バッファ部２の上部に形成された閉空間内の圧力は、コンプレッサなどによって、主配管１内の圧力と同程度となるよう調整できるようになっている。このように調整することで、バッファ部２内で液面が上下するのを抑えられる。
【００２８】
図３Ｃに図３Ａおよび図３Ｂの比較例を示す。この比較例は従来のエアチャンバ型の構成である。図示のように、従来は、主配管に対して枝管でバッファ部と接続される。主配管と枝管との接続面積が大きいほど脈動を抑えられるが、枝管の径はせいぜい主配管と同程度にしかできない。
【００２９】
これに対し、図３Ａおよび図３Ｂに示す構成によれば、主配管１の長手方向に沿ったスリット１３を設けるため、バッファ部２との接続面積を大きくすることができ、効率よく脈動を抑えられる。
【００３０】
また、図４Ａおよび図４Ｂは別の変形例であり、それぞれ図２Ａおよび図２Ｂと対応している。図示のように、バッファ部２の上部は閉塞されており、かつ、閉空間内に「ブラダー」と呼ばれる弾性膜２５が設けられる（アキュムレータ型）。この弾性膜２５によって、バッファ部２内の液体と気体（例えば、窒素ガス）とが仕切られる。これにより、バッファ部２内の気体が液体に溶け込むのを防ぐことができる。
【００３１】
図４Ｃに図４Ａおよび図４Ｂの比較例を示す。この比較例は従来のアキュムレータ型の構成である。図示のように、従来は、主配管に対して枝管でバッファ部と接続される。主配管と枝管との接続面積が大きいほど脈動を抑えられるが、やはり、枝管の径はせいぜい主配管と同程度にしかできない。
【００３２】
これに対し、図４Ａおよび図４Ｂに示す構成によれば、主配管１の長手方向に沿ったスリット１３を設けるため、バッファ部２との接続面積を大きくすることができ、効率よく脈動を抑えられる。
【００３３】
図５はまた別の変形例であり、図２Ａと対応している。図示のように、バッファ部２の幅Ｐ、より詳しくは側面２１，２２間の距離Ｐは、スリット１３の幅ｄより広くてもよい。図６はまた別の変形例であり、図２Ａと対応している。図示のように、バッファ部２の幅Ｐはスリット１３の幅ｄより広く、かつ、バッファ部２が主配管１の下方にまで延びていてもよい。図５および図６の構成により、バッファ部２の容量が大きくなるため、より脈動を抑える効果が向上する。
【００３４】
このように、第１の実施形態では、ポンプで汲み上げられた水の一部がスリット１３を介して主配管１とバッファ部２との間で流入および流出することにより、脈動の伝播が抑えられる。本実施形態では、主配管１にその長手方向に沿うスリット１３が設けられ、このスリット１３が流入および流出の流路となる。そのため、流路面積が大きくなり、ポンプの脈動を効率よく抑制できる。
【００３５】
なお、流路面積を大きくする観点ではスリット１３の幅ｄ（図２Ａ）はできるだけ大きいのが望ましいが、製作の容易さを考慮すると、主配管１の直径をＤとすると、スリット１３の幅ｄは０．１Ｄ〜０．５Ｄが好適である。
【００３６】
（第２の実施形態）
次に説明する第２の実施形態は第１の実施形態における図３Ａおよび図３Ｂに示すポンプ脈動抑制装置のさらなる変形例である。以下、第１の実施形態との相違点を中心に説明する。
【００３７】
図７Ａは、第２の実施形態に係るポンプ脈動抑制装置１０１の側面図である。また、図７Ｂは、図７ＡのＦ−Ｆ断面図であり、図７Ｃは、図７ＡのＥ−Ｅ断面図である。第１の実施形態との相違点として、本ポンプ脈動抑制装置１０１は、バッファ部２内に設けられた１または複数の仕切板２６を備えている。
【００３８】
仕切板２６は液体の流れと直交するのが望ましいが、液体の流れと非平行であれば多少傾いていても構わない。図７Ｃに示すように、仕切板２６の両側面はバッファ部２の側面２１，２２に接続される。そして、仕切板２６の下部は主配管１に接続される。ただし、仕切板２６の上部はバッファ部２の上部とは接しておらず、液体が通ることができる。
【００３９】
このような仕切板２６を設けることで、バッファ部２内の空気が主配管１内の液体の流れに引きずられて外部に流出するのを抑えられる。
【００４０】
このように、第２の実施形態では、バッファ部２内に仕切板２６を設けるため、バッファ部２内の空気が流出するのを抑えることができ、より確実にポンプの脈動を抑制できる。
【００４１】
以上説明した第１および第２の実施形態に係るポンプ脈動抑制装置１００，１０１は、主配管１が水平方向（横方向）に延びるものであったが、鉛直方向（縦方向）に延びるものであってもよい。
【００４２】
図８Ａは、主配管１が鉛直方向に延びる場合のポンプ脈動抑制装置の側面図である。図８Ｂおよび図８Ｃは、それぞれ図８Ａにおける水平方向断面図および鉛直方向断面図である。図８Ａに示すように、主配管１の長手方向すなわち鉛直方向にスリット１３が形成される。そして、スリット１３を介して主配管１の液体の一部がバッファ部２に流れ込む。これより、やはり主配管１にバネ要素が加わり、ポンプの脈動が抑制される。
【００４３】
（第３の実施形態）
上述した第１および第２の実施形態は、主配管１の長手方向にスリット１３が設けられるものであった。これに対し、次に説明する第３の実施形態は、主配管１の周方向にスリット１３を設けるものである。以下、第１の実施形態との相違点を中心に説明する。なお、本実施形態ではサージタンク型を例示するが、もちろんエアチャンバ型あるいはアキュムレータ型であってもよい。
【００４４】
図９Ａおよび図９Ｂは、それぞれ、第３の実施形態に係るポンプ脈動抑制装置１０２の側面図および正面図である。図９ＡをＡ方向から見たものが図９Ｂであり、図９ＢをＢ方向から見たものが図９Ａである。そして、図１０は、図９ＢのＤ−Ｄ断面図である。
【００４５】
本実施形態では、主配管１には、その周方向（言い換えると、液体が流れる方向と直交する方向）に沿った環状のスリット１３が設けられている。
【００４６】
バッファ部２はスリット１３を覆っている。言い換えると、バッファ部２の両側面には開口があり、スリット１３が形成された主配管１がこの開口を貫通しているともいえる（図１０参照）。これにより、スリット１３を覆う空間Ｓが形成される。よって、スリット１３を介して主配管１の液体の一部がバッファ部２に流れ込むことができる。この場合、バッファ部２は主配管１の分岐管と考えることもできる。
【００４７】
このような構成により、やはり主配管１にバネ要素が加わり、周波数の変動を抑える効果が得られる。
【００４８】
なお、バッファ部２の幅はスリット１３の幅ｄと等しくてもよい（図１０）が、図１１に示すように、バッファ部２の幅Ｐはスリット１３の幅ｄより広くてもよい。これにより、バッファ部２の容量が大きくなるため、より脈動を抑える効果が向上する。
【００４９】
また、図１２に示すように、脈動源となるポンプにバッファ部２を近づけるため、主配管１の一端１１側におけるフランジ１１ａとバッファ部２の側面とを一体化させてもよい。この場合、スリット１３はフランジ１１ａの近傍に設けられ。そして、フランジ１１ａの側面（ポンプと反対側の面）とバッファ部２の側面とが接するよう、メスねじ（不図示）あるいは溶接などによって両者が固定される。
【００５０】
なお、図９Ａでは、主配管１の全周にわたってスリット１３が設けられ、スリット１３の全体をバッファ部２が覆っている。しかしながら、主配管１の上半分の少なくとも一部において、周方向にスリット１３が設けられてもよい。この場合、バッファ部２は少なくとも主配管１から上方に延びるように接続されていればよい。
【００５１】
また、流路面積を大きくする観点ではスリット１３の幅ｄ（図１０）はできるだけ大きいのが望ましいが、製作の容易さを考慮すると、主配管１の直径をＤとすると、スリット１３の幅ｄは０．１Ｄ〜０．５Ｄが好適である。
【００５２】
このように、第３の実施形態では、主配管１に環状のスリット１３が設けられ、このスリット１３が流入および流出の流路となる。そのため、流路面積が大きくなり、ポンプの脈動を効率よく抑制できる。
【００５３】
なお、図１３Ａおよび図１３Ｂに示すように、第３の実施形態に係るポンプ脈動抑制装置１０２も、主配管１が鉛直方向（縦方向）に延びるものであってもよい。
【００５４】
（第４の実施形態）
上述した第３の実施形態において、ポンプの容量や設置環境によって、スリット１３の最適な幅ｄは異なり得る。また、ポンプからの圧力脈動が常に発生するとは限らず、圧力脈動がないのであればスリット１３がないほうがよい（スリット１３によって液体の圧力損失が生じ得るため）。
【００５５】
そのため、次に説明する第４の実施形態では、第３の実施形態の変形例として、スリット１３の幅ｄを可変としたものである。
【００５６】
図１４Ａは、第４の実施形態に係るポンプ脈動抑制装置１０３の断面図である。また、図１４Ｂは、である。以下、第３の実施形態との相違点を中心に説明する。なお、本実施形態ではエアチャンバ型を例示するが、もちろんサージタンク型あるいはアキュムレータ型であってもよい。
【００５７】
このポンプ脈動抑制装置１０３は、主配管１と、バッファ部２と、円環部材３と、棒状部材４と、ボルト５と、ナット５ａ〜５ｄと、Ｏリング６ａ〜６ｃとを備えている。
【００５８】
水平方向に延びる主配管１は、固定管１ａ、可動管１ｂ、固定管１ｃおよび固定管１ｄから構成され、ポンプ側（上流側）からこの順に並んでいる。
【００５９】
図１２と同様、固定管１ａのフランジ１１ａとバッファ部２の側面２７とが接するよう、メスねじ（不図示）などによって両者が固定される。バッファ部２の側面２７には開口が設けられ、その開口に固定管１ａが位置合わせされている。
【００６０】
バッファ部２の側面２８には開口が設けられ、この開口を可動管１ｂが貫通している。可動管１ｂには段差があり、上流側が肉厚部１ｂ１となっており、下流側が肉薄部１ｂ２となっている。肉厚部１ｂ１の一部の外周がバッファ部２の側面２８に設けられた開口の内面と接している。後述するように、肉厚部１ｂ１の外周がバッファ部２の側面２８の開口の内面と接した状態で水平方向（液体が流れる方向）に移動可能である。開口にＯリング６ｂのようなシール材を設けることにより、隙間から水が漏れるのを抑制できる。
【００６１】
なお、バッファ部２内には１または複数の板状のリブ２９が設けられてもよい（図１４Ｂ参照）。リブ２９の上流側はバッファ部２の側面２７に固定され、リブ２９の下流側はバッファ部２の側面２８に固定される。なお、図１４Ｂに示すように、リブ２９の先端は可動管１ｂには達しておらず、後述するように可動管１ｂが移動する際に干渉されない。また、リブ２９の配置位置や数に特に制限はない。
【００６２】
リブ２９を設けることによりバッファ部２の強度が向上する。また、リブ２９は整流版としても機能し、バッファ部２内で液体が旋回するのを抑制する。
【００６３】
固定管１ｃには段差があり、上流側が肉薄部１ｃ１となっており、下流側が肉厚部１ｃ２となっている。固定管１ｃにおける肉薄部１ｃ１の内面は、可動管１ｂにおける肉薄部１ｂ２の外面と接している。ただし、肉薄部１ｃ１と肉薄部１ｂ２とは固定されていない。肉薄部１ｃ１の下面にはＯリング６ｃのようなシール材を設けることにより、肉薄部１ｂ２との隙間から水が漏れるのを抑制できる。そして、肉厚部１ｃ２の下流側端面は円環部材３と固定されている。
【００６４】
円環部材３には開口が設けられ、固定管１ｃおよび固定管１ｄがその開口に位置合わせされている。固定管１ｄのフランジ１１ｂの側面と円環部材３とが接するよう、メスねじ（不図示）などによって両者が固定される。
【００６５】
そして、１または複数の棒状部材４がバッファ部２の側面２８と円環部材３との間に配置される。すなわち、棒状部材４の一端はバッファ部２の側面２８に固定され、他端は円環部材３に固定される。
【００６６】
以上の構成により、固定管１ａ、バッファ部２、棒状部材４、円環部材３、固定管１ｃおよび固定管１ｄが直接または間接的に固定され、これらは動かない。続いて、可動管１ｂについて詳しく説明する。
【００６７】
可動管１ｂにおける肉厚部１ｂ１の外面から１または複数の突起部１ｂ３が外向きに延びている。そして、突起部１ｂ３にはねじが形成された開口が設けられており、ボルト５の一端が貫通している。そして、突起部１ｂ３の両側においてボルト５に嵌められたナット５ｃ，５ｄによってボルト５が突起部１ｂ３に対して固定される。また、ボルト５の他端は円環部材３を貫通している。そして、円環部材３の両側においてボルト５に嵌められたナット５ａ，５ｂによってボルト５が円環部材３に対して固定される。
【００６８】
ここで、ボルト５の一端側を突起部１ｂ３に対してどこまで差し込むかによって、スリット１３の幅ｄ、すなわち、可動管１ｂの先端１ｂ４と、バッファ部２の側面２７の内面との距離ｄが定まる。
【００６９】
例えば、図１５Ａに示すように、ボルト５の先のみを突起部１ｂ３に差し込むと、可動管１ｂにおける肉薄部１ｂ２の外面が固定管１ｃにおける肉薄部１ｃ１の内面と摺動しながら、可動管１ｂは上流側に移動する。そして、可動管１ｂの先端１ｂ４がバッファ部２の側面２７の内面に接するようにすることもできる。この場合、スリット１３はなくなる。そして、Ｏリング６ａのようなシール材があることで、可動管１ｂの先端１ｂ４とバッファ部２の側面２７の内面とが水密となり、バッファ部２にほとんど液体が流れ込まないようになる。
【００７０】
一方、図１５Ｂに示すように、ボルト５を突起部１ｂ３の奥まで差し込むと、可動管１ｂは下流側に移動する。これにより、スリット１３の幅ｄは大きくなる。
【００７１】
なお、スリット１３の幅ｄに特に制限はないが、例えば０〜Ｄ／４で調整可能であってもよい（Ｄはバッファ部２の幅、すなわち側面２７の内面と側面２８の内面との距離）。このスリット１３の幅の調整、すなわち、ボルト５を突起部１ｂ３にどの程度差し込むかは、手動で行ってもよいし、アクチュエータによって行うようにしてもよい。
【００７２】
なお、本実施形態ではスリット１３の幅が可変であればよく、その具体的な態様は図１４などに示すものに限られない。例えば、図１６に示すように、可動管１ｂと固定管１ｃとの間にベローズ１ｅを配置するようにしてもよい。
【００７３】
このように、第４の実施形態では、スリット１３の幅を可変とする。そのため、必要な場合にのみスリット１３を形成するようにしたり、スリット１３の幅ｄを設置現場に簡易に最適化できたりする。
【００７４】
上述した実施形態は、本発明が属する技術分野における通常の知識を有する者が本発明を実施できることを目的として記載されたものである。上記実施形態の種々の変形例は、当業者であれば当然になしうることであり、本発明の技術的思想は他の実施形態にも適用しうることである。したがって、本発明は、記載された実施形態に限定されることはなく、特許請求の範囲によって定義される技術的思想に従った最も広い範囲とすべきである。
【符号の説明】
【００７５】
１００〜１０３  ポンプ脈動抑制装置
１  主配管
１ａ，１ｃ，１ｄ  固定管
１ｃ１  肉薄部
１ｃ２  肉厚部
１ｂ  可動管
１ｂ１  肉厚部
１ｂ２  肉薄部
１ｂ３  突起部
１ｂ４  先端
１ｅ  ベローズ
１１  一端
１１ａ  フランジ
１２  他端
１３  スリット
２  バッファ部
２１〜２４  側面
２５  弾性膜
２６  仕切板
２７，２８  側面
２９  リブ
３  円環部材
４  棒状部材
５  ボルト
５ａ〜５ｄ  ナット
６ａ〜６ｃ  Ｏリング
【図１Ａ】
2019157753.tif 000003
【図１Ｂ】
2019157753.tif 000004
【図２Ａ】
2019157753.tif 000005
【図２Ｂ】
2019157753.tif 000006
【図３Ａ】
2019157753.tif 000007
【図３Ｂ】
2019157753.tif 000008
【図３Ｃ】
2019157753.tif 000009
【図４Ａ】
2019157753.tif 000010
【図４Ｂ】
2019157753.tif 000011
【図４Ｃ】
2019157753.tif 000012
【図５】
2019157753.tif 000013
【図６】
2019157753.tif 000014
【図７Ａ】
2019157753.tif 000015
【図７Ｂ】
2019157753.tif 000016
【図７Ｃ】
2019157753.tif 000017
【図８Ａ】
2019157753.tif 000018
【図８Ｂ】
2019157753.tif 000019
【図８Ｃ】
2019157753.tif 000020
【図９Ａ】
2019157753.tif 000021
【図９Ｂ】
2019157753.tif 000022
【図１０】
2019157753.tif 000023
【図１１】
2019157753.tif 000024
【図１２】
2019157753.tif 000025
【図１３Ａ】
2019157753.tif 000026
【図１３Ｂ】
2019157753.tif 000027
【図１４Ａ】
2019157753.tif 000028
【図１４Ｂ】
2019157753.tif 000029
【図１５Ａ】
2019157753.tif 000030
【図１５Ｂ】
2019157753.tif 000031
【図１６】
2019157753.tif 000032